(57)【要約】【課題】建物に侵入した不審者を確実に検知することを課題とする。【解決手段】判定装置３０は、第１の識別情報１００及び第２の識別情報が共に格納されていない場合に、不審者であることを示す不審者検知信号２００を制御装置４０に送信し、共に格納されている場合に、登録者であることを示す登録者検知信号２０１を制御装置４０に送信する。【選択図】図１１
2008084220.tif 000002
【特許請求の範囲】
【請求項１】
電極から電界を電界伝達媒体に誘起して電界通信を行うことが可能な第１の固定型電界通信装置と携帯型電界通信装置と第２の固定型電界通信装置と、前記第２の固定型電界通信装置に通信ネットワークを介して接続可能な判定装置と、前記判定装置に前記通信ネットワークを介して接続可能な建物設備の制御を行う制御装置と、を備えた侵入検知システムであって、
前記第１の固定型電界通信装置は、前記電界伝達媒体としての第１の固定物体に配置されるものであって、
前記第１の固定型電界通信装置を識別するための第１の識別情報を格納しておく第１の格納手段と、
前記第１の識別情報を前記第１の格納手段から読み出して、送信電極から前記第１の固定物体へ電界により送信する第１の送信手段と、を有し、
前記携帯型電界通信装置は、前記第１の固定物体を配置する建物への立ち入りが許可された前記電界伝達媒体としての登録者に所持されるものであって、
前記登録者を識別するための第２の識別情報を格納しておく第２の格納手段と、
前記登録者が前記第１の固定物体に接触した場合に、前記第１の固定物体及び前記登録者を介して伝達されてくる前記第１の識別情報を、受信電極を介して受信する第１の受信手段と、
受信した前記第１の識別情報を格納する第３の格納手段と、
前記第１の識別情報及び前記第２の識別情報をそれぞれ前記第３の格納手段及び前記第２の格納手段から読み出して、送信電極から前記第２の固定型電界通信装置へ電界により送信する第２の送信手段と、を有し、
前記第２の固定型電界通信装置は、前記第１の固定物体に隣接する前記電界伝達媒体としての第２の固定物体に配置されるものであって、
前記登録者が前記第２の固定物体に接触した場合に、前記登録者及び前記第２の固定物体を介して伝達されてくる前記第１の識別情報及び前記第２の識別情報を受信電極を介して受信して第４の格納手段に格納し、前記通信ネットワークを介して前記判定装置に送信する第３の送信手段と、
前記携帯型電界通信装置を所持していない不審者が前記第１の固定物体及び前記第２の固定物体に接触した場合に、前記第１の固定物体と前記不審者と前記第２の固定物体とを介して伝達されてくる前記第１の識別情報を受信電極を介して受信して第５の格納手段に格納し、前記通信ネットワークを介して前記判定装置に送信する第４の送信手段と、を有し、
前記判定装置は、
前記通信ネットワークを介して前記第１の識別情報及び前記第２の識別情報を共に受信したかどうか判定する判定手段と、
共に受信した場合に、登録者であることを示す登録者検知信号を、前記通信ネットワークを介して前記制御装置に送信する登録者検知信号送信手段と、
共に受信しない場合に、不審者であることを示す不審者検知信号を、前記通信ネットワークを介して前記制御装置に送信する第１の不審者検知信号送信手段と、
を有することを特徴とする侵入検知システム。
【請求項２】
前記制御装置は、前記登録者検知信号又は前記不審者検知信号を受信した場合に、前記建物設備に所定の動作をさせる制御信号を送信する制御信号送信手段を有することを特徴とする請求項１に記載の侵入検知システム。
【請求項３】
前記建物設備はエレベータであって、且つ、前記第１の固定物体及び前記第２の固定物体は当該エレベータの乗りかご内の床に配置されるものであって、
前記制御装置は、前記不審者検知信号を受信した場合に、当該エレベータの扉を開放する制御信号を当該エレベータの扉に送信することを特徴とする請求項２に記載の侵入検知システム。
【請求項４】
前記建物設備はエレベータであって、且つ、前記第１の固定物体及び前記第２の固定物体は当該エレベータの乗りかご内の床に配置されるものであって、
前記制御装置は、前記不審者検知信号を受信した場合に、当該エレベータの乗りかご内に具備された行先階を指定する行先階指示ボタンの機能を停止する制御信号を当該行先階指示ボタンに送信することを特徴とする請求項２又は３に記載の侵入検知システム。
【請求項５】
前記建物設備はエレベータであって、且つ、前記第１の固定物体及び前記第２の固定物体は当該エレベータの乗りかご内の床に配置されるものであって、
前記制御装置は、前記不審者検知信号を受信した場合に、当該エレベータの乗りかご内に具備されたスピーカから出力される音を所定の音に変更する制御信号を当該スピーカに送信することを特徴とする請求項２乃至４のいずれか１項に記載の侵入検知システム。
【請求項６】
前記建物設備はエレベータであって、且つ、前記第１の固定物体及び前記第２の固定物体は当該エレベータの乗りかご内の床に配置されるものであって、
前記制御装置は、前記不審者検知信号を受信した場合に、当該エレベータの乗りかご内に具備された発光源から出力される光を所定の光に変更する制御信号を当該発光源に送信することを特徴とする請求項２乃至５のいずれか１項に記載の侵入検知システム。
【請求項７】
前記建物設備はエレベータであって、且つ、前記第１の固定物体及び前記第２の固定物体は当該エレベータの乗場戸の床に配置されるものであって、
前記制御装置は、前記不審者検知信号を受信した場合に、当該エレベータの扉を開放しない制御信号を当該エレベータの扉に送信することを特徴とする請求項２乃至６のいずれか１項に記載の侵入検知システム。
【請求項８】
前記建物設備はエレベータであって、且つ、前記第１の固定物体及び前記第２の固定物体は当該エレベータの乗場戸の床に配置されるものであって、
前記制御装置は、前記不審者検知信号を受信した場合に、一旦開放した当該エレベータの扉を開放し続ける制御信号を当該エレベータの扉に送信することを特徴とする請求項２乃至７のいずれか１項に記載の侵入検知システム。
【請求項９】
前記建物設備はエレベータであって、且つ、前記第１の固定物体及び前記第２の固定物体は当該エレベータの乗りかご内の床又は乗場戸の床に配置されるものであって、
前記判定装置は、前記第２の識別情報を前記制御装置に送信する送信手段を更に有し、
前記制御装置は、前記第２の識別情報と前記登録者に許可された許可階との対応を示す登録者管理情報を記憶しておく記憶手段を更に有し、
当該制御装置は、前記登録者検知信号と前記第２の識別情報とを受信した場合に、当該第２の識別情報に関連付けられた前記許可階を前記登録者管理情報から読み出して、当該許可階の行先階指示ボタンを有効とする制御信号を当該行先階指示ボタンに送信することを特徴とする請求項２乃至８のいずれか１項に記載の侵入検知システム。
【請求項１０】
前記建物設備はエレベータであって、且つ、前記第１の固定物体及び前記第２の固定物体は当該エレベータの乗りかご内の床又は乗場戸の床に配置されるものであって、
前記判定装置は、前記第２の識別情報を前記制御装置に送信する送信手段を更に有し、
前記制御装置は、前記第２の識別情報と前記登録者により登録された登録階との対応を示す登録者管理情報を記憶しておく記憶手段を更に有し、
当該制御装置は、前記登録者検知信号と前記第２の識別情報とを受信した場合に、当該第２の識別情報に関連付けられた前記登録階を前記登録者管理情報から読み出して、当該登録階に行先階を設定する制御信号を当該行先階指示ボタンに送信することを特徴とする請求項２乃至９のいずれか１項に記載の侵入検知システム。
【請求項１１】
前記建物設備は廊下又は階段に配置された音声設備であって、
前記制御装置は、前記不審者検知信号を受信した場合に、当該音声設備から出力される音を所定の音に変更する制御信号を当該音声設備に送信することを特徴とする請求項２乃至１０のいずれか１項に記載の侵入検知システム。
【請求項１２】
前記建物設備は廊下又は階段に配置された照明設備であって、
前記制御装置は、前記不審者検知信号を受信した場合に、当該照明設備から出力される光を所定の光に変更する制御信号を当該照明設備に送信することを特徴とする請求項２乃至１１のいずれか１項に記載の侵入検知システム。
【請求項１３】
前記建物設備は玄関に配置された電子錠扉であって、
前記制御装置は、前記不審者検知信号を受信した場合に、当該電子錠扉を閉める制御信号を当該電子錠扉に送信することを特徴とする請求項２乃至１２のいずれか１項に記載の侵入検知システム。
【請求項１４】
前記建物設備は撮影装置であって、
前記制御装置は、前記不審者検知信号を受信した場合に、撮影を開始する制御信号を当該撮影装置に送信することを特徴とする請求項２乃至１３のいずれか１項に記載の侵入検知システム。
【請求項１５】
前記建物設備は警備会社への通報を行う通報装置であって、
前記制御装置は、前記不審者検知信号を受信した場合に、不審者の侵入を示す制御信号を当該通報装置に送信することを特徴とする請求項２乃至１４のいずれか１項に記載の侵入検知システム。
【請求項１６】
前記判定装置は、前記不審者検知信号を、前記通信ネットワークを介して前記第２の固定型電界通信装置に送信する第２の不審者検知信号送信手段を更に有し、
前記第２の固定型電界通信装置は、前記通信ネットワークを介して前記不審者検知信号を受信した場合に、当該不審者検知信号を送信電極から前記携帯型電界通信装置へ電界により送信する第３の不審者検知信号送信手段を更に有し、
前記携帯型電界通信装置は、前記第２の固定物体及び前記登録者を介して伝達されてくる前記不審者検知信号を受信電極を介して受信した場合に、不審者の存在を当該登録者に通報する通報手段を更に有することを特徴とする請求項１乃至１５のいずれか１項に記載の侵入検知システム。
【請求項１７】
電極から電界を電界伝達媒体に誘起して電界通信を行うことが可能な第１の固定型電界通信装置と携帯型電界通信装置と第２の固定型電界通信装置と、前記第２の固定型電界通信装置に通信ネットワークを介して接続可能な判定装置と、前記判定装置に前記通信ネットワークを介して接続可能な建物設備の制御を行う制御装置と、で処理する侵入検知方法であって、
前記電界伝達媒体としての第１の固定物体に配置される前記第１の固定型電界通信装置により、
前記第１の固定型電界通信装置を識別するための第１の識別情報を第１の格納手段から読み出して、送信電極から前記第１の固定物体へ電界により送信するステップを有し、
建物への立ち入りが許可された前記電界伝達媒体としての登録者に所持される前記携帯型電界通信装置により、
前記登録者が前記第１の固定物体に接触した場合に、前記第１の固定物体及び前記登録者を介して伝達されてくる前記第１の識別情報を、受信電極を介して受信するステップと、
受信した前記第１の識別情報を第２の格納手段に格納するステップと、
前記第１の識別情報及び前記登録者を識別するための第２の識別情報をそれぞれ前記第２の格納手段及び第３の格納手段から読み出して、送信電極から前記第２の固定型電界通信装置へ電界により送信するステップと、を有し、
前記第１の固定物体に隣接する前記電界伝達媒体としての第２の固定物体に配置される前記第２の固定型電界通信装置により、
前記登録者が前記第２の固定物体に接触した場合に、前記登録者及び前記第２の固定物体を介して伝達されてくる前記第１の識別情報及び前記第２の識別情報を受信電極を介して受信して第４の格納手段に格納し、前記通信ネットワークを介して前記判定装置に送信するステップと、
前記携帯型電界通信装置を所持していない不審者が前記第１の固定物体及び前記第２の固定物体に接触した場合に、前記第１の固定物体と前記不審者と前記第２の固定物体とを介して伝達されてくる前記第１の識別情報を受信電極を介して受信して第５の格納手段に格納し、前記通信ネットワークを介して前記判定装置に送信するステップと、を有し、
前記判定装置により、
前記通信ネットワークを介して前記第１の識別情報及び前記第２の識別情報を共に受信したかどうか判定するステップと、
共に受信した場合に、登録者であることを示す登録者検知信号を、前記通信ネットワークを介して前記制御装置に送信するステップと、
共に受信しない場合に、不審者であることを示す不審者検知信号を、前記通信ネットワークを介して前記制御装置に送信するステップと、
を有することを特徴とする侵入検知方法。
【請求項１８】
前記制御装置は、前記登録者検知信号又は前記不審者検知信号を受信した場合に、前記建物設備に所定の動作をさせる制御信号を送信するステップを有することを特徴とする請求項１７に記載の侵入検知方法。
【請求項１９】
前記判定装置は、前記不審者検知信号を、前記通信ネットワークを介して前記第２の固定型電界通信装置に送信するステップを更に有し、
前記第２の固定型電界通信装置は、前記通信ネットワークを介して前記不審者検知信号を受信した場合に、当該不審者検知信号を送信電極から前記携帯型電界通信装置へ電界により送信するステップを更に有し、
前記携帯型電界通信装置は、前記第２の固定物体及び前記登録者を介して伝達されてくる前記不審者検知信号を受信電極を介して受信した場合に、不審者の存在を当該登録者に通報するステップを更に有することを特徴とする請求項１７又は１８に記載の侵入検知方法。
【発明の詳細な説明】
【技術分野】
【０００１】
本発明は、電界伝達媒体に誘起される電界を利用して通信を行う電界通信装置を使用して、不審者による建物への侵入を検知する技術に関する。
【背景技術】
【０００２】
従来、不審者による建物への侵入に対するセキュリティ対策として、ＲＦＩＤ（Ｒａｄｉｏ  ｆｒｅｑｕｅｎｃｙ  ｉｄｅｎｔｉｆｉｃａｔｉｏｎ）を利用した非接触ＩＣカード及びカードリーダー、指紋や虹彩を利用したバイオメトリクス認証等を建物の入り口に設置することで、事前に登録された登録者以外の不審者が建物へ侵入することを防止していた（非特許文献１参照）。また、人の動きを検知する人感センサーや監視カメラ等を、人の往来する場所に適宜配置することで、不審者の存在を逐次監視していた。
【非特許文献１】“入退室管理”、［online］、［平成１８年８月８日検索］、インターネット＜URL:http://www.securityhouse.net/bouhan/into.htm＞
【発明の開示】
【発明が解決しようとする課題】
【０００３】
しかしながら、非接触ＩＣカードやバイオメトリクス認証等は、建物の入室等が登録された側の識別情報と登録した側の登録情報とを比較する認証方式なので、追従友連れやすれ違い等による不正侵入を防止できないという問題があった。
【０００４】
また、監視カメラにより撮影された映像を確認することで不審者の存在を把握することも可能ではあるが、監視カメラの設置場所や不審者の移動により現在位置や不審者の顔を適宜把握できないので、迅速な対応を行うことが非常に困難という問題があった。
【０００５】
更に、非接触ＩＣカードを用いる場合には、壁に設置されたカードリーダーに近づき、ＩＣカードをポケットやバッグ等から取り出して、そのカードリーダーに翳す必要があるので、荷物運搬時や身体障害者等にとっては非常に不便という問題があった。
【０００６】
本発明は、上記を鑑みてなされたものであり、建物に侵入した不審者を確実に検知することを課題とする。
【課題を解決するための手段】
【０００７】
第１の本発明に係る侵入検知システムは、電極から電界を電界伝達媒体に誘起して電界通信を行うことが可能な第１の固定型電界通信装置と携帯型電界通信装置と第２の固定型電界通信装置と、前記第２の固定型電界通信装置に通信ネットワークを介して接続可能な判定装置と、前記判定装置に前記通信ネットワークを介して接続可能な建物設備の制御を行う制御装置と、を備えた侵入検知システムであって、前記第１の固定型電界通信装置は、前記電界伝達媒体としての第１の固定物体に配置されるものであって、前記第１の固定型電界通信装置を識別するための第１の識別情報を格納しておく第１の格納手段と、前記第１の識別情報を前記第１の格納手段から読み出して、送信電極から前記第１の固定物体へ電界により送信する第１の送信手段と、を有し、前記携帯型電界通信装置は、前記第１の固定物体を配置する建物への立ち入りが許可された前記電界伝達媒体としての登録者に所持されるものであって、前記登録者を識別するための第２の識別情報を格納しておく第２の格納手段と、前記登録者が前記第１の固定物体に接触した場合に、前記第１の固定物体及び前記登録者を介して伝達されてくる前記第１の識別情報を、受信電極を介して受信する第１の受信手段と、受信した前記第１の識別情報を格納する第３の格納手段と、前記第１の識別情報及び前記第２の識別情報をそれぞれ前記第３の格納手段及び前記第２の格納手段から読み出して、送信電極から前記第２の固定型電界通信装置へ電界により送信する第２の送信手段と、を有し、前記第２の固定型電界通信装置は、前記第１の固定物体に隣接する前記電界伝達媒体としての第２の固定物体に配置されるものであって、前記登録者が前記第２の固定物体に接触した場合に、前記登録者及び前記第２の固定物体を介して伝達されてくる前記第１の識別情報及び前記第２の識別情報を受信電極を介して受信して第４の格納手段に格納し、前記通信ネットワークを介して前記判定装置に送信する第３の送信手段と、前記携帯型電界通信装置を所持していない不審者が前記第１の固定物体及び前記第２の固定物体に接触した場合に、前記第１の固定物体と前記不審者と前記第２の固定物体とを介して伝達されてくる前記第１の識別情報を受信電極を介して受信して第５の格納手段に格納し、前記通信ネットワークを介して前記判定装置に送信する第４の送信手段と、を有し、前記判定装置は、前記通信ネットワークを介して前記第１の識別情報及び前記第２の識別情報を共に受信したかどうか判定する判定手段と、共に受信した場合に、登録者であることを示す登録者検知信号を、前記通信ネットワークを介して前記制御装置に送信する登録者検知信号送信手段と、共に受信しない場合に、不審者であることを示す不審者検知信号を、前記通信ネットワークを介して前記制御装置に送信する第１の不審者検知信号送信手段と、を有することを特徴とする。
【０００８】
本発明にあっては、判定装置が、通信ネットワークを介して第１の識別情報及び第２の識別情報を共に受信するかどうか判定し、共に受信する場合には、登録者であることを示す登録者検知信号を制御装置に送信し、共に受信しない場合には、不審者であることを示す不審者検知信号を制御装置に送信するので、登録者と不審者との区別を可能とし、建物に侵入した不審者を確実に検知できる。
【０００９】
第２の本発明に係る侵入検知システムは、前記制御装置が、前記登録者検知信号又は前記不審者検知信号を受信した場合に、前記建物設備に所定の動作をさせる制御信号を送信する制御信号送信手段を有することを特徴とする。
【００１０】
本発明にあっては、制御装置が、登録者検知信号又は不審者検知信号を受信する場合に、建物設備に所定の動作をさせる制御信号を送信するので、各検知信号に応じた建物設備の制御を可能とする。
【００１１】
第３の本発明に係る侵入検知システムは、前記建物設備はエレベータであって、且つ、前記第１の固定物体及び前記第２の固定物体は当該エレベータの乗りかご内の床に配置されるものであって、前記制御装置は、前記不審者検知信号を受信した場合に、当該エレベータの扉を開放する制御信号を当該エレベータの扉に送信することを特徴とする。
【００１２】
第４の本発明に係る侵入検知システムは、前記建物設備はエレベータであって、且つ、前記第１の固定物体及び前記第２の固定物体は当該エレベータの乗りかご内の床に配置されるものであって、前記制御装置は、前記不審者検知信号を受信した場合に、当該エレベータの乗りかご内に具備された行先階を指定する行先階指示ボタンの機能を停止する制御信号を当該行先階指示ボタンに送信することを特徴とする。
【００１３】
第５の本発明に係る侵入検知システムは、前記建物設備はエレベータであって、且つ、前記第１の固定物体及び前記第２の固定物体は当該エレベータの乗りかご内の床に配置されるものであって、前記制御装置は、前記不審者検知信号を受信した場合に、当該エレベータの乗りかご内に具備されたスピーカから出力される音を所定の音に変更する制御信号を当該スピーカに送信することを特徴とする。
【００１４】
第６の本発明に係る侵入検知システムは、前記建物設備はエレベータであって、且つ、前記第１の固定物体及び前記第２の固定物体は当該エレベータの乗りかご内の床に配置されるものであって、前記制御装置は、前記不審者検知信号を受信した場合に、当該エレベータの乗りかご内に具備された発光源から出力される光を所定の光に変更する制御信号を当該発光源に送信することを特徴とする。
【００１５】
第７の本発明に係る侵入検知システムは、前記建物設備はエレベータであって、且つ、前記第１の固定物体及び前記第２の固定物体は当該エレベータの乗場戸の床に配置されるものであって、前記制御装置は、前記不審者検知信号を受信した場合に、当該エレベータの扉を開放しない制御信号を当該エレベータの扉に送信することを特徴とする。
【００１６】
第８の本発明に係る侵入検知システムは、前記建物設備はエレベータであって、且つ、前記第１の固定物体及び前記第２の固定物体は当該エレベータの乗場戸の床に配置されるものであって、前記制御装置は、前記不審者検知信号を受信した場合に、一旦開放した当該エレベータの扉を開放し続ける制御信号を当該エレベータの扉に送信することを特徴とする。
【００１７】
第９の本発明に係る侵入検知システムは、前記建物設備はエレベータであって、且つ、前記第１の固定物体及び前記第２の固定物体は当該エレベータの乗りかご内の床又は乗場戸の床に配置されるものであって、前記判定装置は、前記第２の識別情報を前記制御装置に送信する送信手段を更に有し、前記制御装置は、前記第２の識別情報と前記登録者に許可された許可階との対応を示す登録者管理情報を記憶しておく記憶手段を更に有し、当該制御装置は、前記登録者検知信号と前記第２の識別情報とを受信した場合に、当該第２の識別情報に関連付けられた前記許可階を前記登録者管理情報から読み出して、当該許可階の行先階指示ボタンを有効とする制御信号を当該行先階指示ボタンに送信することを特徴とする。
【００１８】
第１０の本発明に係る侵入検知システムは、前記建物設備はエレベータであって、且つ、前記第１の固定物体及び前記第２の固定物体は当該エレベータの乗りかご内の床又は乗場戸の床に配置されるものであって、前記判定装置は、前記第２の識別情報を前記制御装置に送信する送信手段を更に有し、前記制御装置は、前記第２の識別情報と前記登録者により登録された登録階との対応を示す登録者管理情報を記憶しておく記憶手段を更に有し、当該制御装置は、前記登録者検知信号と前記第２の識別情報とを受信した場合に、当該第２の識別情報に関連付けられた前記登録階を前記登録者管理情報から読み出して、当該登録階に行先階を設定する制御信号を当該行先階指示ボタンに送信することを特徴とする。
【００１９】
第１１の本発明に係る侵入検知システムは、前記建物設備は廊下又は階段に配置された音声設備であって、前記制御装置は、前記不審者検知信号を受信した場合に、当該音声設備から出力される音を所定の音に変更する制御信号を当該音声設備に送信することを特徴とする。
【００２０】
第１２の本発明に係る侵入検知システムは、前記建物設備は廊下又は階段に配置された照明設備であって、前記制御装置は、前記不審者検知信号を受信した場合に、当該照明設備から出力される光を所定の光に変更する制御信号を当該照明設備に送信することを特徴とする。
【００２１】
第１３の本発明に係る侵入検知システムは、前記建物設備は玄関に配置された電子錠扉であって、前記制御装置は、前記不審者検知信号を受信した場合に、当該電子錠扉を閉める制御信号を当該電子錠扉に送信することを特徴とする。
【００２２】
第１４の本発明に係る侵入検知システムは、前記建物設備は撮影装置であって、前記制御装置は、前記不審者検知信号を受信した場合に、撮影を開始する制御信号を当該撮影装置に送信することを特徴とする。
【００２３】
第１５の本発明に係る侵入検知システムは、前記建物設備は警備会社への通報を行う通報装置であって、前記制御装置は、前記不審者検知信号を受信した場合に、不審者の侵入を示す制御信号を当該通報装置に送信することを特徴とする。
【００２４】
第１６の本発明に係る侵入検知システムは、前記判定装置は、前記不審者検知信号を、前記通信ネットワークを介して前記第２の固定型電界通信装置に送信する第２の不審者検知信号送信手段を更に有し、前記第２の固定型電界通信装置は、前記通信ネットワークを介して前記不審者検知信号を受信した場合に、当該不審者検知信号を送信電極から前記携帯型電界通信装置へ電界により送信する第３の不審者検知信号送信手段を更に有し、前記携帯型電界通信装置は、前記第２の固定物体及び前記登録者を介して伝達されてくる前記不審者検知信号を受信電極を介して受信した場合に、不審者の存在を当該登録者に通報する通報手段を更に有することを特徴とする。
【００２５】
本発明にあっては、携帯型電界通信装置が不審者検知信号を受信した場合に、不審者の存在を登録者に通報するので、その携帯型電界通信装置を所持した登録者は、建物に侵入した不審者の存在を把握できる。
【００２６】
第１７の本発明に係る侵入検知方法は、電極から電界を電界伝達媒体に誘起して電界通信を行うことが可能な第１の固定型電界通信装置と携帯型電界通信装置と第２の固定型電界通信装置と、前記第２の固定型電界通信装置に通信ネットワークを介して接続可能な判定装置と、前記判定装置に前記通信ネットワークを介して接続可能な建物設備の制御を行う制御装置と、で処理する侵入検知方法であって、前記電界伝達媒体としての第１の固定物体に配置される前記第１の固定型電界通信装置により、前記第１の固定型電界通信装置を識別するための第１の識別情報を第１の格納手段から読み出して、送信電極から前記第１の固定物体へ電界により送信するステップを有し、建物への立ち入りが許可された前記電界伝達媒体としての登録者に所持される前記携帯型電界通信装置により、前記登録者が前記第１の固定物体に接触した場合に、前記第１の固定物体及び前記登録者を介して伝達されてくる前記第１の識別情報を、受信電極を介して受信するステップと、受信した前記第１の識別情報を第２の格納手段に格納するステップと、前記第１の識別情報及び前記登録者を識別するための第２の識別情報をそれぞれ前記第２の格納手段及び第３の格納手段から読み出して、送信電極から前記第２の固定型電界通信装置へ電界により送信するステップと、を有し、前記第１の固定物体に隣接する前記電界伝達媒体としての第２の固定物体に配置される前記第２の固定型電界通信装置により、前記登録者が前記第２の固定物体に接触した場合に、前記登録者及び前記第２の固定物体を介して伝達されてくる前記第１の識別情報及び前記第２の識別情報を受信電極を介して受信して第４の格納手段に格納し、前記通信ネットワークを介して前記判定装置に送信するステップと、前記携帯型電界通信装置を所持していない不審者が前記第１の固定物体及び前記第２の固定物体に接触した場合に、前記第１の固定物体と前記不審者と前記第２の固定物体とを介して伝達されてくる前記第１の識別情報を受信電極を介して受信して第５の格納手段に格納し、前記通信ネットワークを介して前記判定装置に送信するステップと、を有し、前記判定装置により、前記通信ネットワークを介して前記第１の識別情報及び前記第２の識別情報を共に受信したかどうか判定するステップと、共に受信した場合に、登録者であることを示す登録者検知信号を、前記通信ネットワークを介して前記制御装置に送信するステップと、共に受信しない場合に、不審者であることを示す不審者検知信号を、前記通信ネットワークを介して前記制御装置に送信するステップと、を有することを特徴とする。
【００２７】
第１８の本発明に係る侵入検知方法は、前記制御装置が、前記登録者検知信号又は前記不審者検知信号を受信した場合に、前記建物設備に所定の動作をさせる制御信号を送信するステップを有することを特徴とする。
【００２８】
第１９の本発明に係る侵入検知方法は、前記判定装置が、前記不審者検知信号を、前記通信ネットワークを介して前記第２の固定型電界通信装置に送信するステップを更に有し、前記第２の固定型電界通信装置は、前記通信ネットワークを介して前記不審者検知信号を受信した場合に、当該不審者検知信号を送信電極から前記携帯型電界通信装置へ電界により送信するステップを更に有し、前記携帯型電界通信装置は、前記第２の固定物体及び前記登録者を介して伝達されてくる前記不審者検知信号を受信電極を介して受信した場合に、不審者の存在を当該登録者に通報するステップを更に有することを特徴とする。
【発明の効果】
【００２９】
本発明によれば、建物に侵入した不審者を確実に検知することができる。
【発明を実施するための最良の形態】
【００３０】
以下、本発明の実施の形態について図面を用いて説明する。
【００３１】
［第１の実施の形態］
図１は、第１の実施の形態に係る侵入検知システムの概略的な構成を示す模式図である。図１に示すように、本実施の形態における侵入検知システムは、登録者１に所持される携帯型電界通信装置１０、第１の固定物体２ａに接続される第１の固定型電界通信装置２０ａ、第２の固定物体２ｂに接続される第２の固定型電界通信装置２０ｂ、第１の固定物体２ａ’に接続される第１の固定型電界通信装置２０ａ’、第２の固定物体２ｂ’に接続される第２の固定型電界通信装置２０ｂ’、第２の固定型電界通信装置２０ｂ及び第２の固定型電界通信装置２０ｂ’に通信ネットワーク３を介して接続可能な判定装置３０、及び、判定装置３０に通信ネットワーク３を介して接続可能な制御装置４０を備えた構成である。
【００３２】
最初に、携帯型電界通信装置１０の構成について、図２のブロック図を用いて説明する。携帯型電界通信装置１０は、情報処理を行う処理部１１、登録者１を識別する第２の識別情報１０１を格納しておく格納部１２、及び、電界を電界伝達媒体としての登録者１に誘起する通信回路１３及び電極１４を備えた構成である。
【００３３】
携帯型電界通信装置１０の動作について説明する。携帯型電界通信装置１０は、登録者１が第１の固定物体２ａ又は第１の固定物体２ａ’に接触した場合に、第１の固定型電界通信装置２０ａ又は第１の固定型電界通信装置２０ａ’から伝達されてきた第１の識別情報を、第１の固定物体２ａ及び登録者１若しくは第１の固定物体２ａ’及び登録者１を介して電極１４で受信する。そして、処理部１１は、受信した第１の識別情報を格納部１２に格納する。その後、処理部１１は、第１の識別情報及び第２の識別情報１０１を格納部１２から読み出して、通信回路１３により電極１４から登録者１に電界を誘起し、電極１４から登録者１に送信する。尚、通信回路１３の構成及び動作については後述する。
【００３４】
次に、第１の固定型電界通信装置２０ａ及び第１の固定型電界通信装置２０ａ’の構成について、第１の固定型電界通信装置２０ａを例に、図３のブロック図を用いて説明する。第１の固定型電界通信装置２０ａは、情報処理を行う処理部２１ａ、第１の固定型電界通信装置２０ａを識別する第１の識別情報１００を格納しておく格納部２２ａ、及び、電界を電界伝達媒体としての第１の固定物体２ａに誘起する通信回路２３ａ及び電極２４ａを備えた構成である。
【００３５】
尚、同図に示すように、電極２４ａは、より確実に第１の固定物体２ａに接触させるため、処理部２１ａ等の他の構成部を覆う筐体の外部に配置され、リード線等により通信回路２３ａに接続されている。勿論、図２で示す携帯型電界通信装置１０のように、電極２４ａを同一筐体に含めた第１の固定型電界通信装置２０ａとすることも可能である。
【００３６】
第１の固定型電界通信装置２０ａ及び第１の固定型電界通信装置２０ａ’の動作について、第１の固定型電界通信装置２０ａを例に説明する。処理部２１ａは、第１の識別情報１００を格納部２２ａから読み出して、通信回路２３ａにより電極２４ａから第１の固定物体２ａに電界を誘起し、電極２４ａから第１の固定物体２ａに送信する。尚、通信回路２３ａの構成及び動作については後述する。
【００３７】
続いて、第２の固定型電界通信装置２０ｂ及び第２の固定型電界通信装置２０ｂ’の構成について、第２の固定型電界通信装置２０ｂを例に、図４のブロック図を用いて説明する。第２の固定型電界通信装置２０ｂは、情報処理を行う処理部２１ｂ、第１の識別情報１００又は／及び第２の識別情報１０１を格納可能な格納部２２ｂ、電界を電界伝達媒体としての第２の固定物体２ｂに誘起する通信回路２３ｂ及び電極２４ｂ、及び、第１の識別情報１００又は／及び第２の識別情報１０１を判定装置３０に送信する送信部２５ｂを備えた構成である。
【００３８】
尚、電極２４ａと同様に、電極２４ｂは、より確実に第２の固定物体２ｂに接触させるため、処理部２１ｂ等の他の構成部を覆う筐体の外部に配置され、リード線等により通信回路２３ｂに接続されている。勿論、図２で示す携帯型電界通信装置１０のように、電極２４ｂを同一筐体に含めた第１の固定型電界通信装置２０ｂとすることも可能である。
【００３９】
第２の固定型電界通信装置２０ｂ及び第２の固定型電界通信装置２０ｂ’の動作について、第２の固定型電界通信装置２０ｂを例に説明する。第２の固定型電界通信装置２０ｂは、携帯型電界通信装置１０から伝達されてくる第１の識別情報１００及び第２の識別情報１０１を登録者１と第２の固定物体２ｂとを介して、又は、第１の固定型電界通信装置２０ａから伝達されてくる第１の識別情報１００を第１の固定物体２ａと携帯型電界通信装置１０を所持していない不審者と第２の固定物体２ｂとを介して、通信回路２３ｂにより電極２４ｂで受信する。そして、処理部２１ｂは、受信した第１の識別情報１００又は／及び第２の識別情報１０１を格納部２２ｂに格納する。その後、処理部２１ｂは、第１の識別情報１００又は／及び第２の識別情報１０１を格納部２２ｂから読み出して、通信ネットワーク３を介して送信部２５ｂから判定装置３０に送信する。尚、通信回路２３ｂの構成及び動作については後述する。
【００４０】
次に、判定装置３０の構成について、図５のブロック図を用いて説明する。判定装置３０は、情報処理を行う処理部３１、第１の識別情報１００又は／及び第２の識別情報１０１を受信する受信部３２、受信した第１の識別情報１００又は／及び第２の識別情報１０１を格納する格納部３３、及び、第１の識別情報１００又は／及び第２の識別情報１０１と不審者検知信号又は登録者検知信号とを制御装置４０に送信する送信部３４を備えた構成である。
【００４１】
判定装置３０の動作について説明する。判定装置３０は、第２の固定型電界通信装置２０ｂ又は第１の固定型電界通信装置２０ａ若しくは第２の固定型電界通信装置２０ｂ’又は第１の固定型電界通信装置２０ａ’から送信されてきた第１の識別情報１００又は／及び第２の識別情報１０１を受信部３２で受信する。そして、処理部３１は、受信した第１の識別情報１００又は／及び第２の識別情報１０１を格納部３３に格納する。その後、処理部３１は、第１の識別情報１００又は／及び第２の識別情報１０１を格納部３３から読み出して、第１の識別情報１００及び第２の識別情報１０１が共に格納されているかどうかを判定する。処理部３１は、第１の識別情報１００及び第２の識別情報１０１が共に格納されていない場合に、不審者であることを示す不審者検知信号を送信部３４から制御装置４０に送信し、共に格納されている場合に、建物への立ち入りが許可された登録者１であることを示す登録者検知信号を送信部３４から制御装置４０に送信すると共に、第１の識別情報１００又は／及び第２の識別情報１０１も送信する。尚、判定装置３０はコンピュータで構成され、各部の処理はプログラムで実行される。
【００４２】
続いて、制御装置４０の構成について、図６のブロック図を用いて説明する。制御装置４０は、情報処理を行う処理部４１、判定装置３０から送信されてきた第１の識別情報１００又は／及び第２の識別情報１０１と不審者検知信号又は登録者検知信号とを受信する受信部４２、図７に示す第２の識別情報と許可階と登録階とを関連付ける登録者管理情報４００を格納しておく格納部４３、及び、不審者検知信号又は登録者検知信号に対応する制御信号を建物に設置されている建物設備に送信する送信部４４を備えた構成である。
【００４３】
制御装置４０の動作について説明する。制御装置４０は、判定装置３０から送信されてきた第１の識別情報１００又は／及び第２の識別情報１０１と不審者検知信号又は登録者検知信号とを受信部４２で受信する。そして、処理部４１は、不審者検知信号を受信した場合に、不審者対応機能に基づく制御信号を送信部４４から建物設備に送信し、登録者検知信号を受信した場合に、登録者サービス機能に基づく制御信号を送信部４４から建物設備に送信する。尚、制御装置４０はコンピュータで構成され、各部の処理はプログラムで実行される。
【００４４】
ここで、本実施の形態における建物設備について説明する。図１に示すように、本実施の形態における建物設備はエレベータ５０であって、具体的には、エレベータ５０を駆動する駆動装置５１、エレベータ５０の乗りかご内の上部に設置された監視カメラ５２及び照明５３、乗りかご内の側面に配置されたスピーカ５４及び行先階指示ボタン５５、エレベータ５０の乗場戸の脇に配置された乗りかごを呼ぶための指示ボタン５６、及び、エレベータ５０の扉（図示せず）である。
【００４５】
また、制御装置４０が備えるエレベータ制御機能について説明する。図８は、エレベータ制御機能を示すブロック図である。不審者対応機能３１０として、エレベータ５０の扉を開放する第１の扉開放機能３１１、行先階指示ボタン５５の機能を停止する行先階指示ボタン停止機能３１２、不審者によって指定された行先階を通過する不審者要求階通過機能３１３、不審者の存在を視覚的に通報する視覚的通報機能３１４、不審者の存在を聴覚的に通報する聴覚的通報機能３１５、録画機能を備えた監視カメラ５２で撮影を開始するカメラ撮影機能３１６、不審者が侵入した階を通過する乗りかご通過機能３１７、エレベータ５０の扉を開放しない扉非開放機能３１８、一旦開いたエレベータ５０の扉の開放を継続する第２の扉開放機能３１９、及び、指示ボタン５６の機能を停止する指示ボタン停止機能３２０を備える。
【００４６】
一方、登録者サービス機能３３０として、予め許可された階のみ行き先指定を可能とする許可階設定機能３３１、地上階以外の階からエレベータ５０に乗った場合に地上階を自動的に設定する地上階自動設定機能３３２、予め登録した階を自動的に設定する登録階自動設定機能３３３、及び、閉じ込め遠隔検知機能３３４を備える。
【００４７】
続いて、本実施の形態における第１の固定物体２ａ及び第２の固定物体２ｂ、第１の固定物体２ａ’及び第２の固定物体２ｂ’について説明する。第１の固定物体２ａ及び第２の固定物体２ｂは、登録者１又は不審者が第１の固定物体２ａ及び第２の固定物体２ｂに同時に接触可能となるよう、エレベータ５０の乗りかご内の床に隣接配置されている。一方、第１の固定物体２ａ’及び第２の固定物体２ｂ’についても同様に、エレベータ５０の乗場戸の床に隣接配置されている。
【００４８】
最後に、携帯型電界通信装置１０の通信回路１３、第１の固定型電界通信装置２０ａの通信回路２３ａ、第１の固定型電界通信装置２０ａ’の通信回路、第２の固定型電界通信装置２０ｂの通信回路２３ｂ、及び、第２の固定型電界通信装置２０ｂ’の通信回路の構成及び動作について、通信回路１３を例に、図９を用いて説明する。
【００４９】
図９に示すように、処理部１１と電極１４との間を接続する通信回路１３は、インタフェース１３ａを介して処理部１１に接続される。通信回路１３は、この処理部１１からインタフェース１３ａを介して他の電界通信装置に送信するための送信データを受け取ると、レベル調整回路１３ｂで送信データの信号振幅を調整してから、送信回路１３ｃを介して送信電極１４ａに供給するようになっている。
【００５０】
送信電極１４ａは、送信回路１３ｃから送信データが供給されると、この送信データに対応する電界を電界伝達媒体に誘起する。この誘起された電界は、電界伝達媒体を伝達して、他の電界通信装置の受信電極１４ｂで受信される。受信された電界は、一般に微弱でありまた多くの雑音信号を含んでいるため、増幅及びノイズを除去して波形の整形をした後、処理部１１に送信される。
【００５１】
受信された電界の増幅は、電気的方法又は光学的方法によって行われる。電気的方法は、周知の増幅回路を用いることができ簡便であるが、応答速度に限界がある。図９は、応答速度の速い光学的方法の構成例を示す。電界検出光学部１３ｄは、受信電極１４ｂで受信した電界が供給され、電界光学手法を利用した電界検出光学部１３ｄ内で別途発生するレーザ光を偏光変化させ、この偏光変化したレーザ光を受光回路１３ｅで電気信号に変換する。この電気信号は、バンドパスフィルタ１３ｆでの帯域制限により不要な雑音が除去され、更に波形整形回路１３ｇで波形が整形されてから、インタフェース１３ａを介して処理部１１に供給されるようになっている。
【００５２】
なお、送信電極１４ａと受信電極１４ｂは、一体化して１つの電極１４で各電極を構成しても良いものである。
【００５３】
次に、図１乃至図８を参照し、本実施の形態に係る侵入検知システムの全体的な動作について説明する。
【００５４】
最初に、不審者がエレベータ５０の乗りかご内に侵入した場合の侵入検知システムの動作について、図１０を用いて説明する。
【００５５】
第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。
【００５６】
第２の固定型電界通信装置２０ｂは、不審者が第１の固定物体２ａと第２の固定物体２ｂとに接触した場合に、第１の固定型電界通信装置２０ａから伝達されてきた第１の識別情報“ＩＤ＝１００”を、第１の固定物体２ａと不審者と第２の固定物体２ｂとを介して通信回路２３ｂにより電極２４ｂで受信する。そして、処理部２１ｂは、受信した第１の識別情報“ＩＤ＝１００”を格納部２２ｂに格納する。その後、処理部２１ｂは、第１の識別情報“ＩＤ＝１００”を格納部２２ｂから読み出して、通信ネットワーク３を介して送信部２５ｂから判定装置３０に送信する。
【００５７】
判定装置３０は、第２の固定型電界通信装置２０ｂから送信されてきた第１の識別情報“ＩＤ＝１００”を受信部３２で受信する。そして、処理部３１は、受信した第１の識別情報“ＩＤ＝１００”を格納部３３に格納する。その後、処理部３１は、第１の識別情報“ＩＤ＝１００”を格納部３３から読み出して、第１の識別情報１００及び第２の識別情報１０１が共に格納されているかどうかを判定する。第１の識別情報１００は格納されているが、第２の識別情報１０１が格納されていないので、処理部３１は、不審者検知信号２００を送信部３４から制御装置４０に送信する。
【００５８】
制御装置４０は、判定装置３０から送信されてきた不審者検知信号２００を受信部４２で受信する。そして、処理部４１は、図８に示す不審者対応機能３１０に基づく制御信号３００を送信部４４から駆動装置５１や監視カメラ５２等に送信する。
【００５９】
即ち、処理部４１は、第１の扉開放機能３１１としてのエレベータ５０の扉を開放する制御信号３００をエレベータ５０の扉に送信する。
【００６０】
処理部４１は、行先階指示ボタン停止機能３１２としての行先階指示ボタン５５の機能を停止する制御信号３００を行先階指示ボタン５５に送信する。
【００６１】
処理部４１は、不審者要求階通過機能３１３としての不審者によって指定された行先階を通過する制御信号３００を駆動装置５１に送信する。
【００６２】
処理部４１は、視覚的通報機能３１４としての不審者の存在を視覚的に通報する制御信号を照明５３等に送信する。具体的には、エレベータ５０の乗りかご内に設置された発光源から出力される光を、不審者用に予め指定した通報用の光に変更する光制御機能を備えている。例えば、エレベータ５０の乗りかご内に設置された照明５３、壁照明、行先表示盤、映像ディスプレイ等を利用して、照明の色、輝度、点滅状態、映像内容等を変化させる。
【００６３】
処理部４１は、聴覚的通報機能３１５としての不審者の存在を聴覚的に通報する制御信号をスピーカ５４に送信する。具体的には、聴覚的通報機能３１５は、スピーカ５４から流れる音楽等を不審者用に予め設定した通報音に変更する音制御機能を備えている。通報音の一例としては、ブザー音、電子音、ＢＧＭ、自然音、言語等を利用して、音や言語の発生、停止、強弱、高低、内容等を変化させる。
【００６４】
処理部４１は、カメラ撮影機能３１６としての撮影を開始する制御信号３００を監視カメラ５２に送信する。
【００６５】
尚、上記にて説明した動作では、不審者が、エレベータ５０の乗りかご内の床に配置された第１の固定物体２ａ及び第２の固定物体２ｂに接触する場合の動作ついて説明したが、エレベータ５０の乗場戸の床に配置された第１の固定物体２ａ’及び第２の固定物体２ｂ’に接触する場合の動作についても同様である。
【００６６】
その場合、制御装置４０の処理部４１は、乗りかご通過機能３１７としての不審者が侵入した階を通過する制御信号３００を駆動装置５１に送信する。
【００６７】
処理部４１は、扉非開放機能３１８としてのエレベータ５０の扉を開放しない制御信号３００をエレベータ５０の扉に送信する。
【００６８】
処理部４１は、第２の扉開放機能３１９としての一旦開いたエレベータ５０の扉を開放し続ける制御信号３００をエレベータ５０の扉に送信する。
【００６９】
処理部４１は、指示ボタン停止機能３２０としての指示ボタン５６の機能を停止する制御信号３００を指示ボタン５６に送信する。
【００７０】
次に、登録者１がエレベータ５０に乗り込んだ場合の侵入検知システムの動作について、図１１を用いて説明する。
【００７１】
第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。
【００７２】
携帯型電界通信装置１０は、登録者１が第１の固定物体２ａに接触した場合に、第１の固定型電界通信装置２０ａから伝達されてきた第１の識別情報“ＩＤ＝１００”を、第１の固定物体２ａ及び登録者１を介して電極１４で受信する。そして、処理部１１は、受信した第１の識別情報“ＩＤ＝１００”を格納部１２に格納する。その後、処理部１１は、第１の識別情報“ＩＤ＝１００”及び第２の識別情報“ＩＤ＝００１”を格納部１２から読み出して、通信回路１３により電極１４から登録者１に電界を誘起し、電極１４から登録者１に送信する。
【００７３】
第２の固定型電界通信装置２０ｂは、登録者１が第２の固定物体２ｂに更に接触した場合に、携帯型電界通信装置１０から伝達されてきた第１の識別情報“ＩＤ＝１００”及び第２の識別情報“ＩＤ＝００１”を、登録者１と第２の固定物体２ｂとを介して通信回路２３ｂにより電極２４ｂで受信する。そして、処理部２１ｂは、受信した第１の識別情報“ＩＤ＝１００”及び第２の識別情報“ＩＤ＝００１”を格納部２２ｂに格納する。その後、処理部２１ｂは、第１の識別情報“ＩＤ＝１００”及び第２の識別情報“ＩＤ＝００１”を格納部２２ｂから読み出して、通信ネットワーク３を介して送信部２５ｂから判定装置３０に送信する。
【００７４】
判定装置３０は、第２の固定型電界通信装置２０ｂから送信されてきた第１の識別情報“ＩＤ＝１００”及び第２の識別情報“ＩＤ＝００１”を受信部３２で受信する。そして、処理部３１は、第１の識別情報“ＩＤ＝１００”及び第２の識別情報“ＩＤ＝００１”を格納部３３に格納する。その後、処理部３１は、第１の識別情報“ＩＤ＝１００”及び第２の識別情報“ＩＤ＝００１”を格納部３３から読み出して、第１の識別情報１００及び第２の識別情報１０１が共に格納されているかどうかを判定する。第１の識別情報１００及び第２の識別情報１０１が共に格納されているので、処理部３１は、登録者検知信号２０１を送信部３４から制御装置４０に送信すると共に、読み出した第１の識別情報“ＩＤ＝１００”及び第２の識別情報“ＩＤ＝００１”も制御装置４０に送信する。
【００７５】
制御装置４０は、判定装置３０から送信されてきた登録者検知信号２０１と第１の識別情報“ＩＤ＝１００”と第２の識別情報“ＩＤ＝００１”とを受信部４２で受信する。そして、処理部４１は、図８に示す登録者サービス機能３３０に基づく制御信号３００を送信部４４からエレベータ５０に具備された行先階指示ボタン５５等に送信する。
【００７６】
即ち、処理部４１は、許可階設定機能３３１としての予め許可された階のみ行き先指定を可能とする制御信号３００を行先階指示ボタン５５に送信する。具体的には、判定装置３０から送信されてきた第２の識別情報“ＩＤ＝００１”に対応する許可階を、図７に示す登録者管理情報４００から検索し、検索された対応する許可階“１０階，１２階〜２０階”を格納部４３から読み出して、その予め許可された階のみの行先階指示ボタン５５を有効とする。
【００７７】
処理部４１は、地上階自動設定機能３３２としての地上階以外の階からエレベータ５０に乗った場合に地上階を自動的に設定する制御信号３００を行先階指示ボタン５５に送信する。
【００７８】
処理部４１は、登録階自動設定機能３３３としての予め登録した階を自動的に設定する制御信号３００を行先階指示ボタン５５に送信する。具体的には、判定装置３０から送信されてきた第２の識別情報“ＩＤ＝００１”に対応する登録階を、図７に示す登録者管理情報４００から検索し、検索された対応する登録階“１５階”を格納部４３から読み出して、その予め登録された階を行先階として行先階指示ボタン５５を設定する。
【００７９】
即ち、許可階設定機能３３１及び登録階自動設定機能３３３の具体的な運用例としては、マンションの居住者の居住フロアを登録階として予め登録し、同マンションに住むその居住者の知人の居住フロアを許可階として事前に設定する運用が可能である。これにより、マンションの居住者であっても、許可されたフロア以外のフロアに立ち入ることができず、更にセキュリティレベルを向上することを可能とする。
【００８０】
処理部４１は、閉じ込め遠隔検知機能３３４として、地震等が発生して登録者１がエレベータ５０の乗りかご内に閉じ込められた場合に、閉じ込められた登録者１の所持する携帯型電界通信装置１０に格納された第２の識別情報１０１を管理会社に通報する。具体的には、第１の固定物体が配置された場所に対応する第１の識別情報１００の関係情報を格納部４３に格納しておき、場所としての“エレベータの乗りかご内の床”に対応する第１の識別情報１００を検索し、検索された第１の識別情報１００と判定装置３０から送信されてきた第１の識別情報１００とが一致する場合に、第１の識別情報１００と共に判定装置３０から送信されてきた第２の識別情報１０１を管理会社に通報する。
【００８１】
尚、上記にて説明した動作においては、登録者１が、エレベータ５０の乗りかご内の床に配置された第１の固定物体２ａ及び第２の固定物体２ｂに接触する場合の動作ついて説明したが、エレベータ５０の乗場戸の床に配置された第１の固定物体２ａ’及び第２の固定物体２ｂ’に接触する場合の動作についても同様である。
【００８２】
本実施の形態によれば、判定装置３０の処理部３１が、第１の識別情報１００及び第２の識別情報１０１が共に格納部３３に格納されていない場合に、不審者であることを示す不審者検知信号２００を送信部３４から制御装置４０に送信し、共に格納されている場合に、エレベータ５０への立ち入りが許可された登録者１であることを示す登録者検知信号２０１を送信部３４から制御装置４０に送信するので、エレベータ５０へ侵入した人が不審者であるか登録者１であるかを判断でき、不審者の侵入を確実に検知できる。
【００８３】
本実施の形態によれば、不審者検知信号２００が判定装置３０から制御装置４０に送信された場合に、制御装置４０は、行先階指示ボタン５５の機能を停止する行先階指示ボタン停止機能３１２に基づく制御信号３００をエレベータ５０の行先階指示ボタン５５に送信するので、不審者によるエレベータ５０の不正利用を防止できる。
【００８４】
本実施の形態によれば、図７に示す登録者管理情報４００における第２の識別情報“ＩＤ＝００１”に対応する登録階“１５階”を自動設定する登録階自動設定機能３３３に基づく制御信号３００を制御装置４０からエレベータ５０の行先階指示ボタン５５に送信するので、登録者１は、行先階指示ボタン５５を押下することなく、登録階“１５階”を指定できる。
【００８５】
本実施の形態によれば、図７に示す登録者管理情報４００における第２の識別情報“ＩＤ＝００１”に対応する許可階“１０階，１２階〜２０階”のみの行先階指示ボタン５５を有効とする許可階設定機能３３１に基づく制御信号３００を制御装置４０からエレベータ５０の行先階指示ボタン５５に送信するので、建物の利用が許可された登録者１であっても、事前に許可された階以外の階を指定することができず、セキュリティレベルを更に向上することを可能とする。
【００８６】
本実施の形態によれば、地震等が発生した登録者１がエレベータ５０の乗りかご内に閉じ込められた場合に、その登録者の所持する携帯型電界通信装置１０の第２の識別情報１０１が制御装置４０から管理会社に通知されるので、災害時にエレベータ５０の乗りかご内に閉じ込められた登録者１の存在や固有の情報を確認できる。
【００８７】
［第２の実施の形態］
図１２は、第２の実施の形態に係る侵入検知システムの概略的な構成を示す模式図である。図１２に示すように、本実施の形態における侵入検知システムは、登録者１に所持される携帯型電界通信装置１０、第１の固定物体２ａに接続される第１の固定型電界通信装置２０ａ、第２の固定物体２ｂに接続される第２の固定型電界通信装置２０ｂ、第２の固定型電界通信装置２０ｂに通信ネットワーク３を介して接続可能な判定装置３０、及び、判定装置３０に通信ネットワーク３を介して接続可能な制御装置４０を備えた構成である。
【００８８】
携帯型電界通信装置１０、第１の固定型電界通信装置２０ａ、及び、第２の固定型電界通信装置２０ｂの構成及び動作については、第１の実施の形態で説明した構成及び動作と同様なので、ここでは重複した説明を省略する。
【００８９】
判定装置３０は、所定のタイミングで、閉塞状態に保たれた電子錠扉を開放する不審者検知解除信号を制御装置４０に送信する動作を更に有している。
【００９０】
制御装置４０は、図１３に示す第２の識別情報と連絡事項とを関連付ける連絡情報５００と図１４に示す第１の識別情報と位置とを関連付けるセキュリティ管理情報５５０を格納部４３に更に格納している。
【００９１】
本実施の形態における建物設備について説明する。図１２に示すように、本実施の形態における建物設備は、廊下又は階段若しくは玄関に配置された音声設備、照明設備、及び、電子錠扉であって、具体的には、廊下の天井に設置された天井照明７１及びスピーカ７２、廊下の床に設置された床照明７３、玄関の入り口に設置された監視カメラ７４、電子錠扉としての自動ドア７５、及び、連絡事項等を通知するモニター７６である。また、第１の固定物体２ａ及び第２の固定物体２ｂは、登録者１又は不審者が第１の固定物体２ａ及び第２の固定物体２ｂに同時に接触可能となるよう、廊下及び階段の進行方向に沿って交互に隣接配置されている。
【００９２】
また、制御装置４０が備える音声設備，照明設備，及び，電子錠扉制御機能について説明する。図１５は、音声設備，照明設備，及び，電子錠扉制御機能を示すブロック図である。不審者対応機能３５０として、不審者の存在を視覚的に通報する視覚的通報機能３５１、不審者の存在を聴覚的に通報する聴覚的通報機能３５２、録画機能を備えた監視カメラ７４で撮影を開始するカメラ撮影機能３５３、自動ドア７５の扉を閉める扉閉塞機能３５４、及び、自動ドア７５を開放する扉開放機能３５５を備える。
【００９３】
一方、登録者サービス機能３７０として、マンション等の管理者等からの連絡事項を表示する視覚的案内機能３７１，その連絡事項がある旨を音声で知らせる聴覚的案内機能３７２，その連絡事項がある旨を匂いで知らせる臭覚的案内機能３７３、及び、自動ドア７５を開ける扉開放機能３７４を備える。
【００９４】
次に、本実施の形態に係る侵入検知システムの全体的な動作について説明する。
【００９５】
最初に、不審者が廊下及び階段に侵入した場合の侵入検知システムの動作について説明する。
【００９６】
第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。
【００９７】
第２の固定型電界通信装置２０ｂは、不審者が第１の固定物体２ａ及び第２の固定物体２ｂに接触した場合に、第１の固定型電界通信装置２０ａから伝達されてきた第１の識別情報“ＩＤ＝１００”を、第１の固定物体２ａと不審者と第２の固定物体２ｂとを介して通信回路２３ｂにより電極２４ｂで受信する。そして、処理部２１ｂは、受信した第１の識別情報“ＩＤ＝１００”を格納部２２ｂに格納する。その後、処理部２１ｂは、第１の識別情報“ＩＤ＝１００”を格納部２２ｂから読み出して、通信ネットワーク３を介して送信部２５ｂから判定装置３０に送信する。
【００９８】
判定装置３０は、第２の固定型電界通信装置２０ｂから送信されてきた第１の識別情報“ＩＤ＝１００”を受信部３２で受信する。そして、処理部３１は、受信した第１の識別情報“ＩＤ＝１００”を格納部３３に格納する。その後、処理部３１は、第１の識別情報“ＩＤ＝１００”を格納部３３から読み出して、第１の識別情報１００及び第２の識別情報１０１が共に格納されているかどうかを判定する。第１の識別情報１００は格納されているが、第２の識別情報１０１が格納されていないので、処理部３１は、不審者検知信号２００を送信部３４から制御装置４０に送信する。
【００９９】
制御装置４０は、判定装置３０から送信されてきた不審者検知信号２００を受信部４２で受信する。そして、処理部４１は、不審者対応機能に基づく制御信号３００を送信部４４から音声設備及び照明設備に具備された天井照明７１等に送信する。
【０１００】
即ち、処理部４１は、視覚的通報機能３５１としての不審者の存在を視覚的に通報する制御信号３００を天井照明７１及び床照明７３に送信する。具体的には、廊下及び階段に設置された発光源から出力される光を、不審者用に予め指定した通報用の光に変更する光制御機能を備えている。例えば、天井照明７１、床照明７３、壁照明、行先表示盤、映像ディスプレイ等を利用して、照明の色、輝度、点滅状態、映像内容等を変化させる。
【０１０１】
処理部４１は、聴覚的通報機能３５２としての不審者の存在を聴覚的に通報する制御信号３００をスピーカ７２に送信する。具体的には、スピーカ７２から流れる音楽等を不審者用に予め設定した通報音に変更する音制御機能を備えている。通報音の一例としては、ブザー音、電子音、ＢＧＭ、自然音、言語等を利用して、音や言語の発生、停止、強弱、高低、内容等を変化させる。
【０１０２】
処理部４１は、カメラ撮影機能３５３としての撮影を開始する制御信号３００を監視カメラ７４に送信する。
【０１０３】
次に、登録者１が廊下及び階段を通過する場合の侵入検知システムの動作について説明する。
【０１０４】
第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。
【０１０５】
携帯型電界通信装置１０は、登録者１が第１の固定物体２ａに接触した場合に、第１の固定型電界通信装置２０ａから伝達されてきた第１の識別情報“ＩＤ＝１００”を、第１の固定物体２ａ及び登録者１を介して電極１４で受信する。そして、処理部１１は、受信した第１の識別情報“ＩＤ＝１００”を格納部１２に格納する。その後、処理部１１は、第１の識別情報“ＩＤ＝１００”及び第２の識別情報“ＩＤ＝００１”を格納部１２から読み出して、通信回路１３により電極１４から登録者１に電界を誘起し、電極１４から登録者１に送信する。
【０１０６】
第２の固定型電界通信装置２０ｂは、登録者１が第２の固定物体２ｂに更に接触した場合に、携帯型電界通信装置１０から伝達されてきた第１の識別情報“ＩＤ＝１００”及び第２の識別情報“ＩＤ＝００１”を、登録者１と第２の固定物体２ｂとを介して通信回路２３ｂにより電極２４ｂで受信する。そして、処理部２１ｂは、受信した第１の識別情報“ＩＤ＝１００”及び第２の識別情報“ＩＤ＝００１”を格納部２２ｂに格納する。その後、処理部２１ｂは、第１の識別情報“ＩＤ＝１００”及び第２の識別情報“ＩＤ＝００１”を格納部２２ｂから読み出して、通信ネットワーク３を介して送信部２５ｂから判定装置３０に送信する。
【０１０７】
判定装置３０は、第２の固定型電界通信装置２０ｂから送信されてきた第１の識別情報“ＩＤ＝１００”及び第２の識別情報“ＩＤ＝００１”を受信部３２で受信する。そして、処理部３１は、第１の識別情報“ＩＤ＝１００”及び第２の識別情報“ＩＤ＝００１”を格納部３３に格納する。その後、処理部３１は、第１の識別情報“ＩＤ＝１００”及び第２の識別情報“ＩＤ＝００１”を格納部３３から読み出して、第１の識別情報１００及び第２の識別情報１０１が共に格納されているかどうかを判定する。第１の識別情報１００及び第２の識別情報１０１が共に格納されているので、処理部３１は、登録者検知信号２０１を送信部３４から制御装置４０に送信すると共に、読み出した第２の識別情報“ＩＤ＝００１”も制御装置４０に送信する。
【０１０８】
制御装置４０は、判定装置３０から送信されてきた登録者検知信号２０１及び第２の識別情報“ＩＤ＝００１”を受信部４２で受信する。そして、処理部４１は、登録者サービス機能に基づく制御信号３００を送信部４４から音声設備及び照明設備に具備された天井照明７１等に送信する。
【０１０９】
即ち、処理部４１は、視覚的案内機能３７１としてのマンション等の管理者等からの連絡事項の有無に関する制御信号３００とその連絡事項とをモニター７６に送信する。具体的には、判定装置３０から送信されてきた第２の識別情報“ＩＤ＝００１”に対応する連絡事項を、図１３に示す連絡情報５００から検索し、検索した対応する連絡事項“荷物を預かっています。”を格納部４３から読み出して、モニター７６に出力させる。
【０１１０】
処理部４１は、聴覚的案内機能３７２としてのとしてのマンション等の管理者等からの連絡事項の有無に関する制御信号３００とその連絡事項とをスピーカ７２に送信する。具体的には、判定装置３０から送信されてきた第２の識別情報“ＩＤ＝００１”に対応する連絡事項を、図１３に示す連絡情報５００から検索し、検索した対応する連絡事項“荷物を預かっています。”を格納部４３から読み出して、スピーカ７２から出力させる。
【０１１１】
最後に、不審者が玄関を通過する場合の侵入検知システムの動作について説明する。
【０１１２】
第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。
【０１１３】
第２の固定型電界通信装置２０ｂは、不審者が第１の固定物体２ａ及び第２の固定物体２ｂに接触した場合に、第１の固定型電界通信装置２０ａから伝達されてきた第１の識別情報“ＩＤ＝１００”を、第１の固定物体２ａと不審者と第２の固定物体２ｂとを介して通信回路２３ｂにより電極２４ｂで受信する。そして、処理部２１ｂは、受信した第１の識別情報“ＩＤ＝１００”を格納部２２ｂに格納する。その後、処理部２１ｂは、第１の識別情報“ＩＤ＝１００”を格納部２２ｂから読み出して、通信ネットワーク３を介して送信部２５ｂから判定装置３０に送信する。
【０１１４】
判定装置３０は、第２の固定型電界通信装置２０ｂから送信されてきた第１の識別情報“ＩＤ＝１００”を受信部３２で受信する。そして、処理部３１は、受信した第１の識別情報“ＩＤ＝１００”を格納部３３に格納する。その後、処理部３１は、第１の識別情報“ＩＤ＝１００”を格納部３３から読み出して、第１の識別情報１００及び第２の識別情報１０１が共に格納されているかどうかを判定する。第１の識別情報１００は格納されているが、第２の識別情報１０１が格納されていないので、処理部３１は、不審者検知信号２００及び第１の識別情報“ＩＤ＝１００”を送信部３４から制御装置４０に送信する。
【０１１５】
制御装置４０は、判定装置３０から送信されてきた不審者検知信号２００及び第１の識別情報“ＩＤ＝１００”を受信部４２で受信する。そして、処理部４１は、受信した第１の識別情報“ＩＤ＝１００”に対応する位置を、図１４に示すセキュリティ管理情報５５０から検索し、対応する位置“非セキュリティ管理側”を格納部４３から読み出す。そして、処理部４１は、不審者対応機能に基づく制御信号３００を自動ドア７５に送信する。
【０１１６】
即ち、処理部４１は、不審者が位置“非セキュリティ管理側”に存在する場合、扉閉塞機能３５４としての自動ドア７５の扉を閉める制御信号３００を自動ドア７５に送信する。処理部４１、自動ドア７５を開放するための不審者検知解除信号が判定装置３０から送信されるまで扉開放機能に基づく制御信号３００を自動ドア７５に送信しないことも可能である。
【０１１７】
一方、不審者が、図１４に示すセキュリティ管理情報５５０の位置の列に記載された“セキュリティ管理側”に対応する第１の固定物体２ａに存在する場合には、扉開放機能３５５としての自動ドア７５を開放する制御信号３００を自動ドア７５に送信する。その場合、処理部４１は、視覚的通報機能３５１、及び、聴覚的通報機能３５２に基づく制御信号３００を天井照明７１等に送信することも可能である。
【０１１８】
本実施の形態によれば、扉閉塞機能３５４に基づく制御信号３００を制御装置４０から自動ドア７５に送信するので、不審者の侵入を確実に阻止できる。
【０１１９】
本実施の形態によれば、視覚的通報機能３５１及び聴覚的通報機能３５２に基づく制御信号３００を制御装置４０から天井照明７１等に送信するので、不審者の存在を容易に把握できる。
【０１２０】
本実施の形態によれば、視覚的案内機能３７１に基づく制御信号３００を制御装置４０からモニター７６に送信するので、登録者１は、伝達事項の存在を容易に知ることができる。
【０１２１】
［第３の実施の形態］
図１６は、第３の実施の形態に係る侵入検知システムの概略的な構成を示す模式図である。図１６に示すように、本実施の形態における侵入検知システムは、複数の第１の固定物体２ａのそれぞれに接続される複数の第１の固定型電界通信装置２０ａ、複数の第２の固定物体２ｂのそれぞれに接続される複数の第２の固定型電界通信装置２０ｂ、複数の第２の固定型電界通信装置２０ｂに通信ネットワーク３を介して接続可能な判定装置３０、及び、判定装置３０に通信ネットワーク３を介して接続可能な制御装置４０を備えた構成である。
【０１２２】
第１の固定型電界通信装置２０ａ及び第２の固定型電界通信装置２０ｂの構成及び動作については、第１の実施の形態で説明した第１の固定型電界通信装置２０ａ及び第２の固定型電界通信装置２０ｂと同様なので、ここでは重複した説明を省略する。また、判定装置３０の構成についても、第１の実施の形態で説明した構成と同様であるので、ここでは重複説明を省略する。
【０１２３】
次に、判定装置３０の動作について説明する。判定装置３０は、第２の固定型電界通信装置２０ｂから送信されてきた第１の識別情報１００又は／及び第２の識別情報１０１を受信部３２で受信する。そして、処理部３１は、受信した第１の識別情報１００又は／及び第２の識別情報１０１を格納部３３に格納する。その後、処理部３１は、第１の識別情報１００又は／及び第２の識別情報１０１を格納部３３から読み出して、第１の識別情報１００及び第２の識別情報１０１が共に格納されているかどうかを判定する。処理部３１は、第１の識別情報１００及び第２の識別情報１０１が共に格納されていない場合に、不審者であることを示す不審者検知信号２００及び第１の識別情報１００を送信部３４から制御装置４０に送信し、共に格納されている場合に、建物への立ち入りが許可された登録者１であることを示す登録者検知信号２０１及び第２の識別情報１０１を送信部３４から制御装置４０に送信する。尚、判定装置３０はコンピュータで構成され、各部の処理はプログラムで実行される。
【０１２４】
続いて、制御装置４０の構成について説明する。制御装置４０は、情報処理を行う処理部４１、判定装置３０から送信されてきた不審者検知信号２００及び第１の識別情報１００若しくは登録者検知信号２０１及び第２の識別情報１０１を受信する受信部４２、図１７に示す第１の識別情報と起動対象カメラとを関連付ける撮影装置制御情報６００を格納しておく格納部４３、及び、不審者検知信号２００又は登録者検知信号２０１に対応する制御信号３００を建物設備に送信する送信部４４を備えた構成である。
【０１２５】
制御装置４０の動作について説明する。制御装置４０は、判定装置３０から送信されてきた不審者検知信号及び第１の識別情報１００若しくは登録者検知信号及び第２の識別情報１０１を受信部４２で受信する。そして、処理部４１は、不審者検知信号２００及び第１の識別情報１００を受信した場合に、不審者対応機能に基づく制御信号３００を送信部４４から建物設備に送信し、登録者検知信号２０１を受信した場合に、登録者サービス機能に基づく制御信号３００を送信部４４から建物設備に送信する。尚、制御装置４０はコンピュータで構成され、各部の処理はプログラムで実行される。
【０１２６】
本実施の形態における建物設備は廊下に設置された撮影装置であって、具体的には、図１６に示すように廊下の天井に所定の間隔で設置された第１の監視カメラ７７ａ〜第３の監視カメラ７７ｃである。また、第１の固定物体２ａ及び第２の固定物体２ｂは、廊下の進行方向に沿って不審者が両方の固定物体に接触可能な位置に交互に隣接配置されている。
【０１２７】
次に、本実施の形態に係る侵入検知システムの全体的な動作について説明する。第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。他の４つの第１の固定型電界通信装置２０ａについても同様に、それぞれの格納部に格納された第１の識別情報“ＩＤ＝１０１”〜“ＩＤ＝１０４”を、接続されたそれぞれの第１の固定物体２ａに送信する。
【０１２８】
第２の固定型電界通信装置２０ｂは、不審者が第１の識別情報“ＩＤ＝１００”を格納している第１の固定物体２ａ及び第２の固定物体２ｂに接触した場合に、第１の固定型電界通信装置２０ａから伝達されてきた第１の識別情報“ＩＤ＝１００”を、第１の固定物体２ａと不審者と第２の固定物体２ｂとを介して通信回路２３ｂにより電極２４ｂで受信する。そして、処理部２１ｂは、受信した第１の識別情報“ＩＤ＝１００”を格納部２２ｂに格納する。その後、処理部２１ｂは、第１の識別情報“ＩＤ＝１００”を格納部２２ｂから読み出して、通信ネットワーク３を介して送信部２５ｂから判定装置３０に送信する。
【０１２９】
判定装置３０は、第２の固定型電界通信装置２０ｂから送信されてきた第１の識別情報“ＩＤ＝１００”を受信部３２で受信する。そして、処理部３１は、受信した第１の識別情報“ＩＤ＝１００”を格納部３３に格納する。その後、処理部３１は、第１の識別情報“ＩＤ＝１００”を格納部３３から読み出して、第１の識別情報１００及び第２の識別情報１０１が共に格納されているかどうかを判定する。第１の識別情報１００は格納されているが、第２の識別情報１０１が格納されていないので、処理部３１は、不審者検知信号２００及び第１の識別情報“ＩＤ＝１００”を送信部３４から制御装置４０に送信する。
【０１３０】
制御装置４０は、判定装置３０から送信されてきた不審者検知信号２００及び第１の識別情報“ＩＤ＝１００”を受信部４２で受信する。そして、処理部４１は、不審者対応機能に基づく制御信号３００を送信部４４から撮影装置に送信する。即ち、制御装置４０は、判定装置３０から送信されてきた第１の識別情報“ＩＤ＝１００”に対応する起動対象カメラを、図１７に示す撮影装置制御情報６００から検索し、対応する起動対象カメラ“第１の監視カメラ”を格納部４３から読み出して、その起動対象カメラである第１の監視カメラ７７ａに録画と撮影を開始するための起動信号を送信する。
【０１３１】
本実施の形態によれば、第１の識別情報と起動対象カメラとを関連付けた撮影装置制御情報６００を用いて監視カメラを起動するので、不審者の移動先に応じた監視カメラを適宜起動させることができ、不審者の侵入場所をより確実に把握できる。
【０１３２】
本実施の形態によれば、第１の固定型電界通信装置２０ａを２箇所以上に配置するので、最初の段階で不審者を検知できなかった場合であっても、次段や次々段に配置された第１の固定型電界通信装置２０ａを用いて不審者を確実に検知できる。
【０１３３】
［第４の実施の形態］
図１８は、第４の実施の形態に係る侵入検知システムの概略的な構成を示す模式図である。図１８に示すように、本実施の形態における侵入検知システムの構成は、登録者１に所持される携帯型電界通信装置１０、第１の固定物体２ａに接続される複数の第１の固定型電界通信装置２０ａ、複数の第２の固定物体２ｂに接続される第２の固定型電界通信装置２０ｂ、全ての第２の固定型電界通信装置２０ｂに通信ネットワーク３を介して接続可能な判定装置３０、及び、判定装置３０に通信ネットワーク３を介して接続可能な制御装置４０を備えた構成である。
【０１３４】
携帯型電界通信装置１０の構成は、図２に示す第１の実施の形態で説明した構成に加えて、不審者の存在を登録者１に通報する通報部を更に備えた構成である。また、本実施の形態における携帯型電界通信装置１０の基本的な動作は、第１の実施の形態で説明した動作と基本的には同様であるが、判定装置３０から送信されてきた不審者検知信号２００を第２の固定型電界通信装置２０ｂを介して受信した場合に、通報部により不審者の存在を登録者１に通報する動作を更に有する。
【０１３５】
第２の固定型電界通信装置２０ｂの構成は、図４に示す第１の実施の形態で説明した構成に加えて、判定装置３０から送信されてきた不審者検知信号２００を受信する受信部を更に備えた構成である。また、本実施の形態における第２の固定型電界通信装置２０ｂの動作についても、第１の実施の形態で説明した動作と基本的には同様であるが、判定装置３０から送信されてきた不審者検知信号２００を受信部で受信した場合に、通信回路２３ｂにより電極２４ｂから第２の固定物体２ｂに電界を誘起し、その不審者検知信号２００を電極２４ｂから第２の固定物体２ｂに送信する動作を更に有する。
【０１３６】
判定装置３０の構成及び動作についても、第１の実施の形態で説明した構成及び動作と基本的には同様であるが、登録者１が接触している第１の固定物体２ａ及び第２の固定物体２ｂと同じ固定物体に不審者が接触した場合に、不審者検知信号２００を、送信部３４からその登録者１及び不審者が接触している第２の固定物体２ｂを介して携帯型電界通信装置１０に送信する動作を更に有する。
【０１３７】
第１の固定型電界通信装置２０ａ及び制御装置４０の構成及び動作については、第１の実施の形態で説明した構成及び動作と同様であるので、ここでは重複した説明は省略する。但し、制御装置４０は、図１９に示す第１の識別情報と位置とを関連付ける位置情報７００と、図２０に示す第２の識別情報と登録者名とを関連付ける登録者情報８００とを、更に格納部４３に格納している。
【０１３８】
本実施の形態における建物設備は、警備会社７９への通報機能を備えた通報装置７８であり、通信ネットワーク３を介して制御装置４０に接続されている。また、第１の固定物体２ａ及び第２の固定物体２ｂは、登録者１又は不審者が両方の固定物体に接触可能な位置に交互に隣接配置されている。
【０１３９】
次に、本実施の形態に係る侵入検知システムの全体的な動作について説明する。第１の固定型電界通信装置２０ａの処理部２１ａは、第１の識別情報“ＩＤ＝１００”を格納部２２ａから読み出して、通信回路２３ａにより電極２４ａから第１の固定物体２ａに電界を誘起し、電極２４ａから第１の固定物体２ａに送信する。他の１つの第１の固定型電界通信装置２０ａについても同様に、格納部に格納された第１の識別情報“ＩＤ＝１０１”を、接続された第１の固定物体２ａに送信する。
【０１４０】
携帯型電界通信装置１０は、登録者１が第１の識別情報“ＩＤ＝１００”を格納している第１の固定物体２ａに接触した場合に、第１の固定型電界通信装置２０ａから伝達されてきた第１の識別情報“ＩＤ＝１００”を、第１の固定物体２ａ及び登録者１を介して電極１４で受信する。そして、処理部１１は、受信した第１の識別情報“ＩＤ＝１００”を格納部１２に格納する。その後、処理部１１は、第１の識別情報“ＩＤ＝１００”及び第２の識別情報“ＩＤ＝００１”を格納部１２から読み出して、通信回路１３により電極１４から登録者１に電界を誘起し、電極１４から登録者１に送信する。
【０１４１】
第２の固定型電界通信装置２０ｂは、登録者１が第２の固定物体２ｂに更に接触した場合に、携帯型電界通信装置１０から伝達されてきた第１の識別情報“ＩＤ＝１００”及び第２の識別情報“ＩＤ＝００１”を、登録者１と第２の固定物体２ｂとを介して通信回路２３ｂにより電極２４ｂで受信する。そして、処理部２１ｂは、受信した第１の識別情報“ＩＤ＝１００”及び第２の識別情報“ＩＤ＝００１”を格納部２２ｂに格納する。その後、処理部２１ｂは、第１の識別情報“ＩＤ＝１００”及び第２の識別情報“ＩＤ＝００１”を格納部２２ｂから読み出して、通信ネットワーク３を介して送信部２５ｂから判定装置３０に送信する。
【０１４２】
上記動作に加えて、第２の固定型電界通信装置２０ｂは、不審者が登録者１と共に第１の固定物体２ａ及び第２の固定物体２ｂに接触した場合に、第１の固定型電界通信装置２０ａから伝達されてきた第１の識別情報“ＩＤ＝１００”を、第１の固定物体２ａと不審者と第２の固定物体２ｂとを介して通信回路２３ｂにより電極２４ｂで受信する。そして、処理部２１ｂは、受信した第１の識別情報“ＩＤ＝１００”を格納部２２ｂに格納する。その後、処理部１１は、第１の識別情報“ＩＤ＝１００”を格納部１２から読み出して、通信ネットワーク３を介して送信部２５ｂから判定装置３０に送信する。
【０１４３】
判定装置３０は、第２の固定型電界通信装置２０ｂから送信されてきた第１の識別情報“ＩＤ＝１００”及び第２の識別情報“ＩＤ＝００１”を受信部３２で受信する。そして、処理部３１は、第１の識別情報“ＩＤ＝１００”及び第２の識別情報“ＩＤ＝００１”を格納部３３に格納する。その後、処理部３１は、第１の識別情報“ＩＤ＝１００”及び第２の識別情報“ＩＤ＝００１”を格納部３３から読み出して、第１の識別情報１００及び第２の識別情報１０１が共に格納されているかどうかを判定する。第１の識別情報１００及び第２の識別情報１０１が共に格納されているので、処理部３１は、登録者検知信号２０１と第１の識別情報“ＩＤ＝１００”及び第２の識別情報“ＩＤ＝００１”を送信部３４から制御装置４０に送信する。
【０１４４】
上記動作を行うと共に、判定装置３０は、不審者を介して第１の固定型電界通信装置２０ａから送信されてきた第１の識別情報“ＩＤ＝１００”を受信部３２で受信する。そして、処理部３１は、第１の識別情報“ＩＤ＝１００”を格納部３３に格納する。その後、処理部３１は、第１の識別情報“ＩＤ＝１００”及び第２の識別情報“ＩＤ＝００１”を格納部３３から読み出して、第１の識別情報１００及び第２の識別情報１０１が共に格納されているかどうかを判定する。第１の識別情報１００は格納されているが、第２の識別情報１０１が格納されていないので、処理部３１は、不審者検知信号２００及び第１の識別情報“ＩＤ＝１００”を送信部３４から制御装置４０に送信する。更に、処理部３１は、この第１の識別情報“ＩＤ＝１００”を送信してきた第２の固定型電界通信装置２０ｂにも不審者検知信号２００を送信する。
【０１４５】
第２の固定型電界通信装置２０ｂは、判定装置３０から送信されてきた不審者検知信号２００を受信部で受信し、通信回路２３ｂにより電極２４ｂから第２の固定物体２ｂに電界を誘起し、その不審者検知信号２００を電極２４ｂから第２の固定物体２ｂに送信する。
【０１４６】
携帯型電界通信装置１０は、第２の固定型電界通信装置２０ｂから伝達されてきた不審者検知信号２００を、第２の固定物体２ｂ及び登録者１を介して通信回路１３により電極１４で受信する。その後、通報部は、携帯型電界通信装置１０の内部に具備された振動子により振動を発生させて、同じ固定物体上に不審者が存在することを登録者１に通報する。通報部は、携帯型電界通信装置１０の内部に具備されたスピーカや発光源により、音声や光を発生させて登録者１に通報することも可能である。
【０１４７】
制御装置４０は、判定装置３０から最初に送信されてきた登録者検知信号２０１と第１の登録情報“ＩＤ＝１００”と第２の登録情報“ＩＤ＝００１”、及び、次に送信されてきた不審者検知信号２００と第１の識別情報“ＩＤ＝１００”とを受信部３２で受信する。そして、処理部４１は、受信したそれら検知信号及び登録情報を、受信時刻に関連付けて、図２１に示す管理情報９００として格納部４３に格納する。処理部４１は、管理情報９００の検知信号種別の列から不審者検知信号を検索し、検索された不審者検知信号に対応する第１の識別情報“ＩＤ＝１００”及び受信時刻“２００６／０８／１０／１０：２６：２３”を読み出す。また、処理部４１は、読み出した第１の識別情報“ＩＤ＝１００”と同じ第１の識別情報１００を格納する行を更に検索し、該当する行の第２の識別情報の列に格納された第２の識別情報“ＩＤ＝００１”を読み出す。そして、処理部４１は、読み出した第１の識別情報“ＩＤ＝１００”及び第２の識別情報“ＩＤ＝００１”に対応する位置及び登録者名を、図１９に示す位置情報７００及び図２０に示す登録者情報８００から検索し、対応する位置“床Ａ”及び登録者名“田中”を格納部４３からそれぞれ読み出す。その後、処理部４１は、不審者が存在する場所“床Ａ”、不審者と同じ場所にいる登録者名“田中”、及び、不審者検知信号２００を受信した時刻“２００６／０８／１０／１０：２６：２３”を不審者情報として、不審者の侵入を示す制御信号３００と共に通報装置７８に送信部４４から送信する。
【０１４８】
通報装置７８は、通信ネットワーク３を介して送信されてきた制御信号３００及び不審者情報を警備会社７９に通報する。
【０１４９】
尚、本実施の形態で説明した通報装置７８は、第１の実施の形態〜第３の実施の形態で説明した侵入検知システムにおいても適用可能である。例えば、制御装置４０は、不審者検知信号２００が送信されてきた場合に、通報装置７８を介して警備会社７９に通報すると共に、図１６に示す監視カメラに対して不審者の行動を撮影及び録画する制御信号３００を送信することが可能である。
【０１５０】
また、登録者１と同じ場所に存在する不審者は、登録者１の友人や親戚等の可能性もある。その場合には、第２の固定型電界通信装置２０ｂを介して判定装置３０から携帯型電界通信装置１０へ不審者検知信号２００を送信する動作及び制御装置４０から通報装置７８へ通報する動作を行うことなく、第３の実施の形態で説明した監視カメラによる録画のみの動作とすることも可能である。
【０１５１】
更に、登録者１が不審者と同じ場所に存在しない場合、不審者は、マンション等に居住する登録者１を訪れた来訪者である可能性がある。その場合、判定装置３０は、来訪者を介して第２の識別情報１０１を伴うことなく第１の識別情報１００が送信されてきた後に、第１の識別情報１００を格納している第１の固定型電界通信装置２０ａが配置された場所が来訪者に対して許可された場所かどうかを管理する来訪者行先フロアサーバに確認し、許可されていない場所である場合にはその来訪者を不審者と判断して、制御装置４０に不審者検知信号２００を送信することも可能である。一方、許可されている場所の場合、判定装置３０は、来訪者検知信号を制御装置４０に送信し、制御装置４０は、来訪者に対する制御信号３００を建物設備に送信することが可能である。これにより、例えば、来訪者に許可された階以外の階の行先階指示ボタン５５を点灯させない制御等が可能となる。
【０１５２】
本実施の形態によれば、登録者１の所持する携帯型電界通信装置１０が不審者検知信号２００を受信した場合に、不審者の存在を登録者１に通報するので、登録者１は、同じ場所に存在する不審者の侵入を容易に把握できる。
【０１５３】
最後に、第１の実施の形態〜第４の実施の形態において説明した判定装置３０は、第１の識別情報１００及び第２の識別情報１０１が共に格納部３３に格納されているかどうかで判定を行うが、第１の識別情報１００及び第２の識別情報１０１を共に受信部３２で受信したかどうかで判定することも可能である。
【図面の簡単な説明】
【０１５４】
【図１】第１の実施の形態に係る侵入検知システムの概略的な構成を示す模式図である。
【図２】携帯型電界通信装置の構成を示すブロック図である。
【図３】第１の固定型電界通信装置の構成を示すブロック図である。
【図４】第２の固定型電界通信装置の構成を示すブロック図である。
【図５】判定装置の構成を示すブロック図である。
【図６】制御装置の構成を示すブロック図である。
【図７】登録者管理情報を示す表である。
【図８】制御装置のエレベータ制御機能を示すブロック図である。
【図９】通信回路の構成を示すブロック図である。
【図１０】不審者がエレベータの乗りかご内に侵入した場合の侵入検知システムの動作を示す模式図である。
【図１１】登録者がエレベータに乗り込んだ場合の侵入検知システムの動作を示す模式図である。
【図１２】第２の実施の形態に係る侵入検知システムの概略的な構成を示す模式図である。
【図１３】連絡情報を示す表である。
【図１４】セキュリティ管理情報を示す表である。
【図１５】制御装置の音声設備，照明設備，及び，電子錠扉の制御機能を示すブロック図である。
【図１６】第３の実施の形態に係る侵入検知システムの概略的な構成を示す模式図である。
【図１７】撮影装置制御情報を示す表である。
【図１８】第４の実施の形態に係る侵入検知システムの概略的な構成を示す模式図である。
【図１９】位置情報を示す表である。
【図２０】登録者情報を示す表である。
【図２１】管理情報を示す表である。
【符号の説明】
【０１５５】
１…登録者
２ａ，２ａ’…第１の固定物体
２ｂ，２ｂ’…第２の固定物体
３…通信ネットワーク
１０…携帯型電界通信装置
１１，２１ａ，２１ｂ，３１，４１…処理部
１２，２２ａ，２２ｂ，３３，４３…格納部
１３，２３ａ，２３ｂ…通信回路
１３ａ…インタフェース
１３ｂ…レベル調整回路
１３ｃ…送信回路
１３ｄ…電界検出光学部
１３ｅ…受光回路
１３ｆ…バンドパスフィルタ
１３ｇ…波形整形回路
１４，２４ａ，２４ｂ…電極
１４ａ…送信電極
１４ｂ…受信電極
２０ａ，２０ａ’…第１の固定型電界通信装置
２０ｂ，２０ｂ’…第２の固定型電界通信装置
２５ｂ、３４，４４…送信部
３０…判定装置
３２，４２…受信部
４０…制御装置
５０…エレベータ
５１…駆動装置
５２…監視カメラ
５３…照明
５４…スピーカ
５５…行先階指示ボタン
５６…指示ボタン
７１…天井照明
７２…スピーカ
７３…床照明
７４…監視カメラ
７５…自動ドア
７６…モニター
７７ａ〜７７ｃ…第１の監視カメラ〜第３の監視カメラ
７８…通報装置
７９…警備会社
１００…第１の識別情報
１０１…第２の識別情報
２００…不審者検知信号
２０１…登録者検知信号
３００…制御信号
４００…登録者管理情報
５００…連絡情報
５５０…セキュリティ管理情報
６００…撮影装置制御情報
７００…位置情報
８００…登録者情報
９００…管理情報
【図１】
2008084220.tif 000003
【図２】
2008084220.tif 000004
【図３】
2008084220.tif 000005
【図４】
2008084220.tif 000006
【図５】
2008084220.tif 000007
【図６】
2008084220.tif 000008
【図７】
2008084220.tif 000009
【図８】
2008084220.tif 000010
【図９】
2008084220.tif 000011
【図１０】
2008084220.tif 000012
【図１１】
2008084220.tif 000013
【図１２】
2008084220.tif 000014
【図１３】
2008084220.tif 000015
【図１４】
2008084220.tif 000016
【図１５】
2008084220.tif 000017
【図１６】
2008084220.tif 000018
【図１７】
2008084220.tif 000019
【図１８】
2008084220.tif 000020
【図１９】
2008084220.tif 000021
【図２０】
2008084220.tif 000022
【図２１】
2008084220.tif 000023